(57)【特許請求の範囲】
【請求項１】
利用者の端末からイベント登録情報を受付けるイベント登録部と、
前記イベント登録情報に基づき、イベントの対象となる相手先ごとに当該イベントの発生日を記憶するイベント管理テーブルを作成するイベント管理テーブル作成部と、
前記イベント管理テーブルに基づき、前記利用者が保有する普通預金口座から前記利用者が指定した金額を引き落とし、前記指定した金額を積立金としてイベントの発生日以前に満期となる積立定期預金を前記イベントごとに作成する積立定期預金作成部と、
前記積立定期預金の満期日を前記利用者に前もって通知する満期通知に、満期通知日後であって次回満期通知日前に発生するイベントの情報を付加する満期情報通知部と、
を備えることを特徴とするイベント振込管理装置。
【請求項２】
前記イベント登録情報には、当該イベントに対する祝儀または不祝儀を送る時期の開始年月日および終了年月日を含むことを特徴とする、請求項１に記載のイベント振込管理装置。
【請求項３】
前記イベント振込管理装置は、普通預金振込部を備え、
前記普通預金振込部は、前記イベントの発生日以前に、前記積立定期預金の口座から満期金額をあらかじめ指定された普通預金口座に振込む、
ことを特徴とする、請求項１または２に記載のイベント振込管理装置。
【請求項４】
前記あらかじめ指定された普通預金口座は、前記イベントの対象相手の口座であることを特徴とする、請求項３に記載のイベント振込管理装置。
【請求項５】
前記積立定期預金作成部は、作成した積立預金の満期金額がイベントに対して祝儀または不祝儀として指定した金額に満たないと判断した場合に、前記積立金の額を一時的に増加させることを特徴とする、請求項１乃至４に記載のイベント振込管理装置。
【請求項６】
前記積立定期預金作成部は、作成した積立預金の満期日がイベント発生日より後になる場合に、前記積立定期預金の満期日を一時的に調整することを特徴とする、請求項１乃至５に記載のイベント振込管理装置。
【請求項７】
利用者の端末とイベント振込管理装置とがネットワークで接続された銀行システムであって、
前記利用者の端末は、イベント登録情報を受付けて前記イベント振込管理装置に送信し、
前記イベント振込管理装置は、
受信した前記イベント登録情報に基づき、イベントの対象となる相手先ごとに当該イベントの発生日を記憶するイベント管理テーブルを作成するイベント管理テーブル作成部と、
前記イベント管理テーブルに基づき、前記利用者が保有する普通預金口座から前記利用者が指定した金額を引き落とし、前記指定した金額を積立金としてイベントの発生日以前に満期となる積立定期預金を前記イベントごとに作成する積立定期預金作成部と、
前記積立定期預金の満期日を前記利用者に前もって通知する満期通知に、満期通知日後であって次回満期通知日前に発生するイベントの情報を付加する満期情報通知部と、
を備えることを特徴とする銀行システム。
【請求項８】
利用者の端末からイベント登録情報を受付けてイベントを管理するためのコンピュータプログラムであって、
コンピュータを、
前記イベント登録情報に基づき、イベントの対象となる相手先ごとに当該イベントの発生日を記憶するイベント管理テーブルを作成するイベント管理テーブル作成部と、
前記イベント管理テーブルに基づき、前記利用者が保有する普通預金口座から前記利用者が指定した金額を引き落とし、前記指定した金額を積立金としてイベントの発生日以前に満期となる積立定期預金を前記イベントごとに作成する積立定期預金作成部と、
前記積立定期預金の満期日を前記利用者に前もって通知する満期通知に、満期通知日後であって次回満期通知日前に発生するイベントの情報を付加する満期情報通知部として、
機能させることを特徴とするコンピュータ・プログラム。
【発明の詳細な説明】
【技術分野】
【０００１】
本発明は、冠婚葬祭等のイベントの発生日、お祝等の振込を確実に管理するイベント振込管理装置、システムおよびプログラムに関する。
【背景技術】
【０００２】
人生には、人付き合いを円滑にするために、さまざまな冠婚葬祭行事に参加する機会が年々多くなる。特に、数ある冠婚葬祭行事の中で、自分の子供や孫はもとより、親戚や親しい友人に子供や孫を持つ場合は、結婚、出産祝いをはじめとして、誕生日祝い、七五三祝い、入園・入学祝い、卒業祝い、成人祝い、就職祝い等、子供や孫に関する一連の行事は数多く、定期的、連続的に発生する。このような子供等に関する行事は、年をとればとるほど増えていくものであるが、高齢になればなるほど、このような行事のお祝いをすべき相手や時期をいちいち覚えておくことが困難になる。
【０００３】
そこで、例えば、特許文献１には、誕生、七五三、入学式、成人式、結婚式等における、お返し時期、お返し相手に関する人生イベント情報を登録し、人生イベントの事前に、お返し品候補とイベントの相手、時期をユーザに通知する人生イベント管理プログラム等が開示されている。
【０００４】
しかしながら、上記特許文献１に記載された方法は、過去にお祝いをいただいた贈り主側に人生イベントが発生した場合に、いただいた側からお返し品を手配する負担を軽減することを目的とするもので、お祝いを贈る側に立ったものではない。また事前の通知といってもそのトリガとなるのは贈答品を受け取った場合のみである。そもそも自分の子供や孫あるいはひ孫等にお祝いを贈る場合、お返しを期待するものではないし、贈られる側も実の親や祖父母にお返しをすることはあまりない。高齢になればなるほど、お返しを心配するより、お祝いを贈る相手や時期を忘れてしまうことのほうが心配である。また仮に覚えていたとしても、多くのイベントのたびに現金を用意して、手渡したり送金したりする手間は大変である。
【先行技術文献】
【特許文献】
【０００５】
【特許文献１】特開２００５−２０８８４４号公報
【発明の概要】
【発明が解決しようとする課題】
【０００６】
本発明は、上記のような課題に鑑みてなされたもので、利用者、特に高齢の利用者に対して、数多くの冠婚葬祭等のイベントの発生を確実に通知し、お祝金等を確実に届けられるようにする仕組みを提供することを目的とする。
【課題を解決するための手段】
【０００７】
上記課題を解決するため、本発明では以下のような機能を持つイベント振込管理装置を提供する。
利用者の端末からイベント登録情報を受付けるイベント登録部と、前記イベント登録情報に基づき、イベントの対象となる相手先ごとに当該イベントの発生日を記憶するイベント管理テーブルを作成するイベント管理テーブル作成部と、前記イベント管理テーブルに基づき、前記利用者が保有する普通預金口座から前記利用者が指定した金額を引き落とし、前記指定した金額を積立金としてイベントの発生日以前に満期となる積立定期預金を前記イベントごとに作成する積立定期預金作成部と、前記積立定期預金の満期日を前記利用者に前もって通知する満期通知に、満期通知日後であって次回満期通知日前に発生するイベントの情報を付加する満期情報通知部と、を備えることを特徴とする。
【０００８】
上記発明によれば、本発明のイベント振込管理装置が、利用者の端末からイベント登録情報（例えば、イベントでお祝いの対象相手である子供や孫の名前，生年月日，性別等の情報）を受付けて、その登録情報から以後発生する典型的なイベントを割り出して対象相手ごとにイベント発生日を記憶したイベント管理テーブルを作成する。例えば、誕生日，お年玉，七五三、入園・入学等のイベント発生日は、生年月日、性別から求められる。次に、作成されたイベント管理テーブルに基づいて、利用者が保有する普通預金口座から利用者が指定した金額を引き落とし、指定した金額を積立金としてイベント発生日以前に満期となる積立定期預金をイベントごとに作成する。そして、積立定期預金の満期日を利用者に前もって通知する満期通知に、満期通知日後であって次回満期通知日前に発生するイベントの情報を付加する。このようにすることで、利用者は、イベント登録情報を入力するだけで、イベント振込管理装置が、その後のイベントの発生日を割り出し、イベント発生日に合わせて積立定期預金を作り、お祝い金等を準備できるようにしてくれる。また、満期通知に合わせてイベントの情報を通知してくれるので、利用者が数々のイベントの発生日や相手先をいちいち覚えておく必要がなくなる。
【０００９】
本発明のイベント振込み管理装置は、以下の機能も備えることができる。
前記イベント登録情報には、当該イベントに対する祝儀または不祝儀を送る時期の開始年月日および終了年月日を含むことを特徴とする。
【００１０】
上記発明によれば、祝儀または不祝儀（お祝金等）を贈る最初の年月日と最後の年月日を設定できる。このようにすることで、例えば、誕生日のように毎年発生するイベントに対して、最初に誕生日祝いをする日（通常は生後の翌年の誕生日）と、子供が成長してそろそろ誕生日祝いをする必要がなくなったとき等に、誕生日祝いを最後とする日を設定できる。したがっていつまでも誕生祝いを贈り続けることが防止できる。また開始年月日と終了年月日を同じ日することで、１度限りのイベントも登録することができる。
【００１１】
本発明のイベント振込管理装置は、以下の機能も備えることができる。
前記イベント振込管理装置は、普通預金振込部を備え、前記普通預金振込部は、前記イベントの発生日以前に、前記積立定期預金の口座から満期金額をあらかじめ指定された普通預金口座に振込む、ことを特徴とする。
【００１２】
上記発明によれば、イベント振込管理装置は、満期通知に合わせてイベントの情報を通知してくれるだけでなく、積立口座の満期金を自動的に所定の口座に振込んでくれる。このようにすることで、満期金を自分の普通預金口座に振込むことで、次の積立定期預金の原資とすることができる。
【００１３】
本発明のイベント振込管理装置は、以下のような機能も備えることができる。
前記あらかじめ指定された普通預金口座は、前記イベントの対象相手の口座であることを特徴とする。
【００１４】
上記発明によれば、満期金を直接相手先の口座へ振込むことができる。このようにすることにより、お祝金等を自分の口座から引き出して相手にいちいち手渡しする手間を省くことができる。
【００１５】
本発明のイベント振込管理装置は、以下のような機能も備えることができる。
前記積立定期預金作成部は、作成した積立預金の満期金額がイベントに対して祝儀または不祝儀として指定した金額に満たないと判断した場合に、前記積立金の額を一時的に増加させることを特徴とする。
【００１６】
上記発明によれば、祝儀または不祝儀として指定した金額（お祝金等）が、積立定期預金の満期金では不足するときに、積立定期の積立金をイベント振込管理装置が一時的に増額して積立定期を作成する。このようにすることで、お祝金等を積立定期の満期金だけで賄うようにすることができる。すなわち、不足時には別途利用者の普通預金から振込む等の手間が省ける。
【００１７】
本発明のイベント振込管理装置は、以下のような機能も備えることができる。
前記積立定期預金作成部は、作成した積立預金の満期日がイベント発生日より後になる場合に、前記積立定期預金の満期日を一時的に調整することを特徴とする。
【００１８】
上記発明によれば、積立定期の満期日より前にイベントが発生する場合にも、イベント振込管理装置が満期日をイベント発生日の前になるように調整してくれるので、常にイベントのお祝金等に対して積立的の満期金を割り当てることができる。
【００１９】
また、本発明は、以下のようなイベント振込管理装置を含んだ銀行システム、または、コンピュータをイベント振込管理装置として機能させるコンピュータ・プロフラムとして捉えることもでき、上記発明と同等な作用効果をもたせることができる。
【００２０】
利用者の端末とイベント振込管理装置とがネットワークで接続された銀行システムであって、前記利用者の端末は、イベント登録情報を受付けて前記イベント振込管理装置に送信し、前記イベント振込管理装置は、受信した前記イベント登録情報に基づき、イベントの対象となる相手先ごとに当該イベントの発生日を記憶するイベント管理テーブルを作成するイベント管理テーブル作成部と、前記イベント管理テーブルに基づき、前記利用者が保有する普通預金口座から前記利用者が指定した金額を引き落とし、前記指定した金額を積立金としてイベントの発生日以前に満期となる積立定期預金を前記イベントごとに作成する積立定期預金作成部と、前記積立定期預金の満期日を前記利用者に前もって通知する満期通知に、満期通知日後であって次回満期通知日前に発生するイベントの情報を付加する満期情報通知部と、を備えることを特徴とする銀行システム。
【００２１】
利用者の端末からイベント登録情報を受付けてイベントを管理するためのコンピュータプログラムであって、コンピュータを、前記イベント登録情報に基づき、イベントの対象となる相手先ごとに当該イベントの発生日を記憶するイベント管理テーブルを作成するイベント管理テーブル作成部と、前記イベント管理テーブルに基づき、前記利用者が保有する普通預金口座から前記利用者が指定した金額を引き落とし、前記指定した金額を積立金としてイベントの発生日以前に満期となる積立定期預金を前記イベントごとに作成する積立定期預金作成部と、前記積立定期預金の満期日を前記利用者に前もって通知する満期通知に、満期通知日後であって次回満期通知日前に発生するイベントの情報を付加する満期情報通知部として、機能させることを特徴とするコンピュータ・プログラム。
【発明の効果】
【００２２】
上記発明によれば、利用者に対して、冠婚葬祭等のイベントの発生を確実に通知し、お祝金等を確実に届けられるようにすることができる。
【図面の簡単な説明】
【００２３】
【図１】本発明の実施形態に係る銀行システム１の全体構成を示す図である。
【図２】本発明の実施形態に係るイベント管理テーブル４３を示す図である。
【図３】積立定期預金の一般的な仕組みを説明するための図である。
【図４】本発明の実施形態に係る積立預金の仕組みを具体例を用いてより詳しく説明するための図である。
【図５】本発明の実施形態に係るイベント登録受付部１１の処理手順を示すフロー図である。
【図６】本発明の実施形態に係る積立定期預金作成部１３と満期情報通知部１４の処理手順を示す図である。
【図７】本発明の実施形態に係る普通預金振込部１７を追加した場合の銀行システム１の全体構成を示す図である。
【図８】本発明の実施形態に係る処理で満期金額が指定したお祝金等に対して不足した場合の処理の一例を示す図である。
【図９】本発明の実施形態に係る積立定期預金作成部１３と満期情報通知部１４のお祝金等の不足を避けるための処理手順を示すフロー図である。
【図１０】本発明の実施形態に係るイベント管理サービス登録画面を示す図である。
【図１１】本発明の実施形態に係る積立定期預金の満期通知の内容を示す図である。
【発明を実施するための形態】
【００２４】
以下、添付図面を参照して、本発明を実施するための形態（以下、実施形態）について詳細に説明する。なお、実施形態の説明の全体を通して同じ要素には同じ番号を付している。
【００２５】
図１は、本発明の実施形態に係る銀行システム１の全体構成を示す図である。銀行システム１は、本発明の実施形態において中核となるイベント振込管理装置１０が、銀行のホストシステム２０と銀行内のネットワークで接続され、かつ、インターネット等のネットワークを介して、利用者の端末と結ばれている。
【００２６】
本実施形態の銀行システム１では、バックエンドとして、ホストシステム２０である勘定系ホストコンピュータが利用者の口座取引を、口座ＤＢ２２や取引情報ＤＢ２３を用いて随時データを読み書きすることにより日々のトランザクションごとに処理する。イベント振込管理装置１０は、機能部として、イベント登録受付部１１，イベント管理テーブル作成部１２，積立定期預金作成部１３，満期情報通知部１４を、また、データベース（ＤＢ;Data Base）として、イベント情報ＤＢ１５及び積立口座情報ＤＢ１６を備えている。
【００２７】
イベント登録受付部１１は、利用者の端末からイベント振込管理装置１０にイベントを登録するための情報であるイベント登録情報４１を受け付けて、イベント管理テーブル作成部１２に引き渡す。イベント登録情報４１には、お祝金，香典，お見舞金等（以下、お祝金等と呼ぶ）を贈る相手先の氏名，生年月日，性別，利用者と相手先との関係（子供、孫、いとこ、兄弟、友人の子息等），利用者の普通預金口座情報，およびお祝金等を送金するための相手先の銀行口座情報が含まれる。お祝い等のイベント発生日は、生年月日から求められ、個々に入力する必要がないものが少なくない。相手先の銀行口座情報は、お祝金を銀行振込みで送金する場合に必要であるが、お祝い金またはお祝品を別途、手渡し等で贈る場合には不要である。イベント登録情報４１には、上記の情報以外にもイベントに特有な情報を含んでよい。例えば、結婚記念日のように生年月日からは求められないイベント固有の年月日である。イベント登録情報４１を入力する端末は、典型的には、利用者が所有するＰＣ（Personal Computer）または携帯電話機等の、イベント振込管理装置１０とネットワーク接続可能であれば任意の情報処理端末であってよいが、上記端末を操作できない利用者のために、銀行等の店舗から店員が利用者の依頼に基づいて入力する端末であってもよい。
【００２８】
イベント管理テーブル作成部１２は、入力されたイベント登録情報４１に基づいて、相手先の属性に応じて定期的に発生するイベントの発生日を算出し、後述するイベント管理テーブル４３を作成する。イベント管理テーブル４３は、イベント情報ＤＢ１５に格納され、利用者ごとに管理される。定期的に発生するイベントの発生日は、生年月日を基準にイベント振込管理装置１０において自動的に設定される。たとえば、孫の出生日が２０１０年１０月３日であれば最初の七五三は２０１３年１１月１５日に設定される。非定期的に発生するイベントについては、イベント登録情報４１に記入されたイベント発生日を用いる。
【００２９】
積立定期預金作成部１３は、イベント情報ＤＢ１５から利用者のイベント管理テーブル４３を参照して、テーブルに記憶された各イベントの発生日に合わせて、利用者の積立定期預金を作成する。例えば、現在が２月１日で、お孫さんの次の誕生日が５月５日であれば、５月５日前に満期日が来るように積立期間を３ヶ月とする短期の積立定期預金を作成する。もちろん、５月５日当日に満期日が来るようにしてもよい。後述するように、イベントがたてこみ満期日前にいくつかのイベントが発生しても対処できるようにする。
【００３０】
また、積立開始時に、利用者が指定した普通預金口座から指定の積立金額を引き出し、積立預金口座にその金額を移すことも可能である。このようにして、各イベント発生日と満期日が対応付けられた積立定期預金口座が作成される。作成された積立預金の情報は積立口座情報ＤＢ１６に格納され、積立額，満期日，満期金額，利息とともに満期通知日と対応するイベントに関する情報が同時に記録される。
【００３１】
満期情報通知部１４は、積立口座情報ＤＢ１６を常に参照し、満期日の所定期日（例えば１ヶ月前）に満期日を利用者に通知する。満期日の通知自体は、通常の定期預金等でも行われているが、本システムではこの満期通知に、関連するイベントの情報（イベントメッセージ）を付加する。例えば、「○○ちゃん（孫の名前）の次回誕生日は、２０１１年５月５日です。」のようなメッセージを満期通知に付加する。
【００３２】
顧客通知配信手段３０は、定期預金等の満期通知を通知するための任意の手段である。本システムでは、満期情報通知部１４が作成したイベントメッセージ付の満期通知を最終的に利用者に送付する役目をはたす。送付する手段は、郵便の他、電子メールでの通知、および／または、満期通知に付加したメッセージを音声にして電話等で通知を行うようにしてもよい。
【００３３】
上記のイベント振込管理装置１０の機能構成は、あくまで一例であり、一つの機能部を更に分割したり、複数の機能部をまとめて一つの機能部として構成してもよい。各機能部は、典型的には、メモリ（ＲＡＭ：Random Access Memory,ＲＯＭ：Read Only Memory）や記憶装置に格納されたコンピュータ・プログラムが読み出され、装置に内蔵されたＣＰＵ（Central Processing Unit）で実行され、実行されたプログラムが記憶装置に格納されたＤＢ(Data Base)から必要なデータを読み書きし、場合によっては、その他関連するハードウェア（例えば、入出力装置や通信インターフェース装置）を制御することによって実現される。また、本発明の実施形態におけるデータベース（ＤＢ）は、商用データベースであってよいが、単なるテーブルやファイルの集合体をも意味し、データベースの内部構造自体は問わない。
【００３４】
図２は、本発明の実施形態に係るイベント管理テーブル４３を説明する図である。イベント管理テーブル４３は、任意形式のイベント登録情報４１に基づいて、イベント管理テーブル作成部１２によって作成される。図示するように、イベント管理テーブル４３には、お祝金等を贈る相手先ごとに、氏名，振込先銀行口座番号，利用者本人との関係，生年月日の相手先基本情報３０１、生年月日からは特定できない記念日がある場合は、その記念日とイベントの種類である記念日情報３０１Ａ、および各イベントごとの情報３０２Ａ，３０２Ｂ，３０２Ｃ，・・・が格納される。
【００３５】
各イベントには、固有のイベントＩＤが設定される。図では表記を簡略化するために、１つのイベントＩＤに３人の相手先のイベントが紐付けされているように見えるが、３人の相手先のイベントＩＤは別々に管理される。各イベントの発生日は、生年月日と性別から特定できるものはイベント管理テーブル作成部１２が自動的に計算して設定する。例えば、誕生日，七五三，入園・入学等である。イベント発生日のち、七五三の場合は、性別によって異なり、男の子の場合は３歳と５歳、女の子の場合は３歳と７歳の年の１１月１５日に設定される。入園・入学については生年月日から自動的に求める。それぞれのイベントには、少なくとも、お祝金（お祝等の金額），開始年月日，次回年月日，終了年月日が格納される。誕生日やクリスマス、お年玉のように毎年発生するものは、お祝い等を開始する開始年月日、次回年月日（次回お祝い等の日）、お祝い等を終了させる終了年月日をイベント管理テーブル４３に記憶して、イベント振込管理装置１０が、毎年のお祝い等の日が過ぎるごとに次回年月日を更新していくようにする。終了年月日が未定のものは、とりあえず９９９９／９９／９９としておく。イベント振込管理装置１０は、次回お祝い等の日が終了年月日になった時点でそのイベントの処理をその回限りで終了させる。
【００３６】
息子や娘の結婚記念日のように、生年月日からはイベント発生日を求めることができないものについては、利用者にそのイベント発生日（記念日）とその種類をイベント登録情報４１に入力してもらうことによって、イベント管理テーブル４３に登録できる。以降、その記念日のお祝いが毎年続くものであってもよい。なお、毎年発生する誕生日やお年玉のようなイベントであっても、必ずしもお祝いイベントとしては毎年ごとに設定しなくともよく、５年目、１０年目のように利用者の指定する年のみにしてもよい。また、サッカー大会優勝記念祝いとか、○○賞受賞祝いのように１度だけで終了するイベントも登録することができる。その場合は、開始年月日と終了年月日を一致させるだけである。なお、イベント登録受付部１１は、イベント管理テーブル４３を、利用者がいつでも更新する手段を提供する。
【００３７】
上記の例は、孫や子供のイベントを主に取り上げたが、もちろん成人に対するイベントであっても同様である。生年月日によって特定できるものには、成人式祝い，還暦祝い等があり、生年月日によって特定できないものは、就職祝い，結婚祝い，新築祝い，引越祝い，退院祝い等がある。もちろん、お祝いに限らず、法事等の不祝儀のイベントであっても同様である。
【００３８】
図３は、積立定期預金の一般的な仕組みを説明するための図である。積立定期預金は、利用者名義の普通預金口座から自動振り替えを行って積立を行う預金である。毎月一定の金額（積立額）を預け入れをして、所定の運用期間で積立定期を始める。そうすると、図示するように、各預け入れ額ごとに「明細」（明細１〜６）が作られ、その明細ごとに指定の運用期間によって満期日が決まり、この満期日の後は明細ごとに自動更新される。毎月の積立額以外に、一時的に預入れをすることもでき、その場合は、その一時的な積立額に対して別に明細が作られる。これらすべての明細を集めてひとつ積立定期預金の契約となる。
【００３９】
本発明の実施形態では、この積立定期預金の仕組みを利用して、各イベントに必要なお祝金等が貯まるようにイベントの発生日または発生日前に満期日となる積立定期口座を自動的に作成する。満期日の所定の期間前には、利用者に満期通知が送られ、直近のイベントがあれば、自動更新ぜずにその明細の積立預金だけを解約して、満期金額（元金＋利子−振込手数料）を所定の普通預金口座に振込む。所定の普通預金口座は、利用者の口座であっても相手先の口座であってもよい。
【００４０】
図４は、本発明の実施形態に係る積立預金の仕組みを具体例を用いてより詳しく説明するための図である。図の左側に利用者側に対するシステムの動作、図の右側にイベントの発生日を示している。
【００４１】
例えば、利用者が年金の入金に合わせて偶数月ごとに１万円を、運用期間３ヶ月で、１０月１５日に積立定期を開始したとすると、最初の積立定期の満期日は、翌年の１月１５日、満期通知は通常１ヶ月前に発行されるので１２月１５日となる。また、この利用者に関しては、孫Ａと孫Ｂに対しては、クリスマス，お年玉，誕生日，七五三がそれぞれイベントとして登録されているとし、娘に対しては、結婚記念日が登録されているとする。
【００４２】
この場合、最初の満期通知２００からみて直近のイベントがクリスマス１００Ａ，１００Ｂなので、クリスマス１００Ａ，１００Ｂが対応するイベントとして、イベント発生日１２月２４日で対象が孫Ａ，孫Ｂである旨の情報（メッセージ）が満期通知２００に付加される。さらに、システムはその次のイベントの発生日を調べ、その次のイベントが孫Ａと孫Ｂに対する翌年１月１日のお年玉１０１Ａ，１０１Ｂであることを検知すると、１月１日が今回の積立定期預金の満期通知２００および次回の満期通知２０１より前なのか後なのかを判定する。満期通知２００より後で次の満期通知２０１より前であればお年玉イベントの情報も満期通知２００に加える。次の満期通知２０１より後の場合は、次回の２月１５日の満期通知２０１にお年玉イベントの情報を加えることになる。図の例では、今回の満期通知日は１２月１５日でお年玉の１月１日より前なので、お年玉イベント情報１０１Ａ，１０１Ｂを満期通知２００に加える。２回目の満期通知２０１に最も直近のイベントは、孫Ａの誕生日１０２であるが、３回目の満期通知２０２よりも前なので、この場合は誕生日１０２は満期通知２０１に関連付けられる。以後同様な処理を繰り返すことでシステムは、イベント発生日前の直近の満期通知によって、誰の何のイベントなのか、およびそのイベントの発生時期が近いことを利用者に知らせる。そして単に満期通知するだけでなく、満期日前にはそのイベントに対応する積立預金のみを解約し、相手先（お祝い先）の普通預金口座にあらかじめイベント登録情報４１で定めた金額をお祝い金として振込むようにしてもよい。このことは、後述する普通預金振込部１７をイベント振込管理装置１０に加えることで容易に実現できる。なお、満期日に対応するイベントがない積立定期は自動延長されても満期日に解約されてもよい。
【００４３】
このようにすることで、利用者は、満期通知を受け取った時点で、イベント発生日と、あらかじめ定めたそのイベントに必要なお祝金等が、満期金額で賄えるかどうかを判断することができる。満期金額がイベントのお祝金等の総額より多い場合は、システムのほうで相手先の口座へ自動振り替えするように設定しておくこともできる。また、満期金額とお祝金等の差額は利用者の普通預金に移すように設定しておいてもよい。もちろん、お祝金等を相手先口座に自動振り替えせずにいったん自分の普通預金口座へすべて移し、そこから現金を引き出して相手先に手渡しで贈るようにしてもよい。また、満期金額がイベントのお祝金の総額より少ない場合は、不足分を利用者の普通預金口座から引きだし、満期金額と合わせて相手先口座に自動振り替えするようにしてもよい。なお、満期金額が不足する場合は、別の処理をすることも可能なので、これについては後で説明する。
【００４４】
図５は、本発明の実施形態に係るイベント登録受付部１１の処理手順を示すフロー図である。まず、イベント登録受付部１１は、ステップＳ１０において、イベント登録要求があるまで待機する。イベント登録要求を受信したら、そのイベントが新規登録であるかをチェックする（ステップＳ１１）。新規イベントであれば、登録情報新規入力画面を送信してイベント登録情報４１の入力を促す（ステップＳ１２）。ステップＳ１１において、新規登録でないと判断した場合は、その登録情報を読み出し、登録情報更新画面を送信して入力を促す（ステップＳ１４）。どちらの場合も、入力されたデータがＯＫであれば（ステップＳ１５；Ｙｅｓ）、更新の場合は登録すべきイベントの発生日順にソートする（ステップＳ１６）。最後に、イベント登録情報４１を、イベント情報ＤＢ１５に格納する（ステップＳ１７）。なお、ここで登録されたイベント登録情報４１は、後の検証のために、イベント管理テーブルとは別に保存される。なお、登録が更新の場合は、イベント管理テーブル作成部１２が呼び出され、更新登録情報に基づいてイベント管理テーブル４３も更新される（図示せず）。
【００４５】
図６は、本発明の実施形態に係る積立定期預金作成部１３および満期情報通知部１４の処理手順を示すフロー図である。なお、イベント管理テーブル作成部１２については、今までの説明で処理内容は明らかであるので、フロー図は省略する。
【００４６】
まず、積立定期預金作成部１３は、ステップＳ２０において、積立口座情報ＤＢ１６から利用者の積立口座情報を読み込む。積立口座情報には、作成済みの利用者の積立定期預金口座の情報（積立額，金利，運用期間，満期日，満期通知日，満期金額等）がすべて含まれている。次に、積立定期預金作成部１３は、現在の日付が、積立定期作成期日であれば（ステップＳ２１；Ｙｅｓ）、積立定期作成口座を作成する（ステップＳ２２）。具体的には、指定された積立金額、運用期間をもとに指定された利用者の普通預金から資金を積立定期口座に移す。なお、積立定期作成日は満期当日でなくとも前日または前々日等の所定日であってもよい。
【００４７】
次に、満期情報通知部１４は、ステップＳ２３において、満期通知する必要のある積立定期口座があるかどうかを利用者ごとにチェックする。満期通知を要する口座があれば、その利用者のイベント管理テーブル４３を読み込み（ステップＳ２４）、今回の満期通知日と次回の満期通知日との間にイベントがあれば（ステップＳ２５；Ｙｅｓ）、そのイベントに関するメッセージを作成し（ステップＳ２６）、そのメッセージを今回の満期通知に付加して顧客通知配信手段３０に送信する（ステップＳ２７）。今回の満期通知日と次回の満期通知日の間にイベントがなければ（ステップＳ２５；Ｎｏ）、なにもせずに処理を終了する。ここでイベントに関するメッセージとは、イベントの種類，発生日，対象者を少なくとも含む情報であり、利用者が自ら作成または選択した通知文であってもよい。
【００４８】
図７は、本発明の実施形態に係る普通預金振込部１７を追加した場合の銀行システム１の全体構成を示した図である。普通預金振込部１７は、この実施形態のイベント振込管理装置１０Ａに追加されるが、基本的にはイベント振込管理装置１０とほぼ同じであるので、異なる部分のみを説明する。
【００４９】
普通預金振込部１７は、満期になった積立定期から利用者が指定した相手先の普通預金口座へ満期金額を振込む役目を果たす。満期金額は通常、利用者の普通預金に移されるが、相手先の普通預金に直接振り込む場合は、満期金がお祝金等に対して不足していたり、金利が付いたりすることで満期金額がそのまま必ずしも意図したお祝金等にならない場合が多いのでその処理が必要となる。そのため、普通預金振込部１７が満期情報通知部１４とは別に備えられている。なお、振込み先が他の銀行口座の場合は、全銀ネットワークを介して、他銀行システム５０に接続することによって振込みが行われる。
【００５０】
図８は、本発明の実施形態に係る処理で満期金額が指定したお祝金等に対して不足した場合の処理の一例を示す図である。ここでは図４のケースと同じように、年金の入金に合わせて偶数月ごとに１万円を、運用期間３ヶ月で、１０月１５日に積立定期を開始したとする。ただし、今回の場合で満期通知だけではなく満期日に相手方の口座に直接振込むように設定されているとする。
【００５１】
この例の場合、最初の満期通知２００は１２月１５日で、次回の満期通知２０１は２月１５日で、その間にはクリスマスとお年玉が存在するが、お祝金がクリスマスに孫Ａ，孫Ｂに３０００円ずつ、お年玉に５０００円ずつ設定されているとすると、最初の満期通知２００（１２月１５日）の通知では、クリスマスとお年玉の合計で１６０００円となっているのにも拘らず、１月１５日に満期を迎える積立預金の満期金（１万円＋利息）では、時期的に間に合わず、かつ金額も足りないことがわかる。このような場合、処理方法としては、
１）イベント登録時にこのような状態になることを判断し、不足が生じる場合は、お祝金の額をあらかじめ調整するよう利用者に促す。
２）積立定期からの振込みは、この場合クリスマスの６０００円のみとし、時期も間に合わず満期金も不足するお年玉の１万円に関しては利用者の普通預金から振込む。
３）積立金の額と満期日を一時的に変更する。
の３つが方法が考えられる。１）の方法は、利用者の積立開始時期や積立金額に依存し、相手側からみると、理由もわからずお祝金等が増えたり減ったりするようにも見えるのであまり好ましくはない。そこで、本システムでは、２）または３）の方法を推奨するが、２）でも３）でも不足額は利用者の普通預金から引き出される点では同じである。ただし、必要な金額は、利用者の普通口座にあるものとする。
【００５２】
図８の実施例では、３）の方法をとった場合を示している。すなわち、積立定期を作成する段階で、積立定期預金作成部１３が、一時的にその回の積立額と満期日とを変更する。この例では、初回の積立金額を１００００円から１６０００円に引き上げ、満期日を１ヶ月早めて１２月１５日にする。そうすると満期通知日は１１月１５日（満期通知２００）になり、１２月２４日のクリスマス（１００１Ａ、１００Ｂ）と１月１日のお年玉（１０１Ａ，１０１Ｂ）をカバーすることができる。２）の方法をとった場合は、満期情報通知部１４が、満期通知を作成する段階で不足額を調べ、満期日に不足額のあるイベントおよび満期日が間に合わないイベントのお祝金は、積立定期からではなく利用者の普通預金から相手先の口座へ振込むように普通預金振込部１７に指示する。
【００５３】
図９は、本発明の実施形態に係る積立定期預金作成部１３と満期情報通知部１４のお祝金等の不足を避けるための処理手順を示したフロー図である。図９において、ステップＳ３０〜Ｓ３２までの処理は、図６のＳ２０〜Ｓ２２の処理とほぼ同じであるので説明は省略する。
【００５４】
積立定期預金作成部１３は、ステップＳ３３において、今回作成した積立定期の満期日より前の未処理のイベントがあるがとうかチェックする。未処理のイベントとは、積立定期と関連付けが完了していない（満期金より振込み予定額が大きい、またはイベント発生日が満期日より前にある）イベントである。未処理のイベントがなければ（ステップＳ３３；Ｎｏ）、満期情報通知部１４に処理を渡す。満期情報通知部１４は、ステップＳ３５〜Ｓ３７において通常の満期通知の処理を行う。ただし、ステップＳ３６においてはメッセージを作成するイベントは１つとは限らず、先に積立定期預金作成部１３が作成した積立定期預金に複数のイベントが関連付けられている場合は、それらのメッセージを満期通知にすべて含める。
【００５５】
未処理のイベントがあれば（ステップＳ３３；Ｙｅｓ）、満期日に振込む予定の振込総額が、今回作成した満期額を上回るかどうかをチェックする（ステップＳ３８）。上回っていなければ（ステップＳ３８；Ｎｏ）、そのイベントも、今回作成した積立定期預金に関連するイベントとして満期情報通知部１４に指示して（図示せず）、ステップＳ３３に戻る。満期日に振込む予定の振込総額が、今回作成した積立定期預金の満期額を上回っていれば（ステップＳ３８；Ｙｅｓ）、積立定期預金作成部１３は、今回のみ、不足分の金額を利用者の普通預金から積立口座に移し、積立金額に加える。かつ、満期日をそのイベントに間に合うように短縮（調整）する（ステップＳ３９）。
【００５６】
図１０は、本発明の実施形態に係るイベント管理サービス登録画面を示す図である。イベント管理サービス登録画面とは、利用者が本システムで管理するイベントを登録するための画面である。
【００５７】
利用者は、本システムにログインして、イベント登録メニューを押すと、図１０のような画面が利用者の端末に表示されて、入力を促される。利用者は、まず、利用者基本情報３００として、氏名，普通預金口座番号，積立金額，積立日（毎月、偶数月、奇数月などから選択した月とその日付），運用期間，および満期通知日を入力する。利用者がその銀行に普通預金口座を持たない場合は、前もって作成しておく必要がある。積立定期の運用期間は、通常は３ヶ月〜３年だが、１年を通してイベントの数が多い利用者はできるだけ短期間を選ぶことが望ましい。また、満期通知日は通常１ヶ月前くらいに設定することが望ましい。
【００５８】
利用者基本情報３００の入力が終わると、今度は相手先情報として、登録したい相手先の氏名，振込先口座情報３１１（金融機関名，口座番号、および口座名義人），生年月日，利用者との関係，および性別等を入力する。振込先口座は利用者の口座または相手先の口座である。相手先の氏名と口座名義人は異なっていてもよい。
【００５９】
相手先基本情報３０１の入力が終わると、その相手に対してお祝金等を贈りたいイベントごとにイベント情報３０２を入力する。イベント情報３０２には、イベントの種類，開始日，終了予定日を入力する。一般的なイベントの種類は、システムによって登録されているのでその中から選択する。メニューにない場合は、「その他」を選択する。開始日は、お祝金等を贈る最初のイベントの発生日、終了予定日はお祝金等を終了する最後のイベント発生日である。例えば、生年月日が２０１０年５月５日の孫に対して１歳から２０歳まで誕生祝いを贈るとすると、開始日は２０１１年５月５日、終了日は２０３０年５月５日となる。
【００６０】
イベント情報３０２には、当初振込金（お祝金等）の額を指定する他、振込金額をいつも一定ではなく年齢とともに増額（あるいは減額）したいような場合には、その増額の金額および更新頻度を入力領域３１２に指定することができる。このように、利用者は、すべての相手先に対して、すべてのイベント情報３０２の入力を行うが、相手先ごとに、システムのほうで一般的なイベントの一欄表を提示して必要な箇所だけを修正してもらうようにしてもよい。
【００６１】
図１１は、本発明の実施形態に係る積立定期預金の満期通知の内容を示す図である。積立定期預金の満期日の通知は、満期日の所定期日前に利用者のもとにお送られてくるが、本システムでは、この満期通知を利用して、利用者にイベントの発生情報を通知する。
【００６２】
図１１の上段４００には、満期情報、すなわち、満期日，積立預金口座番号，毎月の積立金，利息，満期金が記載され、満期後の取り扱いとして、「普通預金に振込み」が指定され、利用者の普通預金口座番号が記載されている。
【００６３】
本システムでは、上記の満期情報に加えて、図中段４０１のように、直近のイベント情報（イベントメッセージ）が追加される。このイベント情報には、日付、種類，相手先の名前，お祝等の金額，振込先口座が記載されている。この振込先口座が指定されているとお祝等金額は、その振込先口座に直接振込まれる。この場合、４００に記載された利用者の普通預金口座には、満期金とお祝等の金額との差額が振り込まれることになる。なお、同じイベントに複数の相手先がいる場合は、その相手先も複数表示される。特に図示していないが、作成済みの積立定期預金の満期日、満期予定額が記載された一覧表を添付してもよい。
【００６４】
また、図下段４０２には、利用者が今まで振込んできたお祝等の金額および相手先の履歴が表示されている。この履歴表は、イベントの日付順に表示されるが、イベントの種類ごと、あるいは相手先ごとに表示してもよい。
【００６５】
以上の説明で明らかなように、本システムでは、直近のイベントの発生情報を積立定期預金の満期通知を利用して利用者に近々発生するイベント情報をタイムリーに通知するようにした。このようにすることで、利用者側では数多い冠婚葬祭等のイベントをいちいち覚えることなく、同時にお祝金等も自動的に相手先に振込むことができるので、利用者は、冠婚葬祭のお祝金等の送金のわずらわしさから開放される。なお、本システムは、冠婚葬祭以外のイベントにも容易に対応できることは明らかである。
【００６６】
以上、実施形態を用いて本発明を説明したが、本発明の技術的範囲は上記実施形態に記載の範囲には限定されないことは言うまでもない。上記実施形態に、多様な変更または改良を加えることが可能であることが当業者に明らかである。またその様な変更または改良を加えた形態も本発明の技術的範囲に含まれ得ることが、特許請求の範囲の記載から明らかである。
【符号の説明】
【００６７】
１    銀行システム
１０    イベント振込管理装置
１１    イベント登録受付部
１２    イベント管理テーブル作成部
１３    積立定期預金作成部
１４    満期情報通知部
１５    イベント情報ＤＢ
１６    積立口座情報ＤＢ
１７    普通預金振込部
２０    ホストシステム
２１    勘定系ホストコンピュータ
２２    口座ＤＢ
２３    取引情報ＤＢ
３０    顧客通知配信手段
４１    イベント登録情報
４２    メッセージ付満期情報
４３    イベント管理テーブル
５０    他銀行システム
１００，１０１，・・・    イベント
２００，２０１，・・・    満期通知
３００    利用者基本情報
３０１    相手先基本情報
３０１Ａ    記念日情報
３０２，３０２Ａ，３０２Ｂ    イベント情報
４００    満期情報
４０１    イベント情報
４０２    利用履歴
【図１】
0005614754.tif 000002
【図２】
0005614754.tif 000003
【図３】
0005614754.tif 000004
【図４】
0005614754.tif 000005
【図５】
0005614754.tif 000006
【図６】
0005614754.tif 000007
【図７】
0005614754.tif 000008
【図８】
0005614754.tif 000009
【図９】
0005614754.tif 000010
【図１０】
0005614754.tif 000011
【図１１】
0005614754.tif 000012